(57)【要約】【課題】誤ったデータが記憶部に書き込まれたことを精度良く判定することができる画像読取装置を提供する。【解決手段】画像読取装置１００は、画像読取部１０と、記憶部４０と、取得部４５と、制御部３０とを備える。画像読取部１０は、原稿Ｍの画像を読み取る。画像読取部１０は、画像データを取得する。記憶部４０には、画像データが所定のデータ領域に書き込まれる。取得部４５は、記憶部４０のデータ領域へのアクセス速度を取得する。制御部３０は、アクセス速度に基づいて、記憶部４０への書込動作が有効であるか否かを判定する。【選択図】図２
2020136967.tif 000002
【特許請求の範囲】
【請求項１】
原稿の画像を読み取り、画像データを取得する画像読取部と、
前記画像データが所定のデータ領域に書き込まれる記憶部と、
前記記憶部の前記データ領域へのアクセス速度を取得する取得部と、
前記アクセス速度に基づいて、前記記憶部への書込動作が有効であるか否かを判定する制御部と
を備える、画像読取装置。
【請求項２】
前記制御部が前記書込動作が有効でないと判定した場合、前記制御部は、前記画像読取部の画像の読み取りを停止するように、前記画像読取部を制御する、請求項１に記載の画像読取装置。
【請求項３】
前記制御部が前記書込動作が有効でないと判定し、前記画像読取部の画像の読み取りを停止した時点からの経過時間を計測する計時部をさらに備え、
前記制御部は、前記経過時間が閾値を超えたか否かを判定し、前記経過時間が前記閾値を超えたと判定した場合、前記画像読取部の画像の読み取りを再開するように制御する、請求項１に記載の画像読取装置。
【請求項４】
前記制御部が前記書込動作が有効でないと判定した場合、通知画像を表示する表示部をさらに備え、
前記通知画像は、前記書込動作が有効でないことを示す画像である、請求項１から請求項３のいずれか１項に記載の画像読取装置。
【請求項５】
前記制御部は、前記アクセス速度と、前記記憶部の仕様で規定される仕様速度との差分が所定の範囲内であるか否かに基づいて、前記記憶部への前記書込動作が有効であるか否かを判定する、請求項１から請求項４のいずれか１項に記載の画像読取装置。
【請求項６】
振動を検知する検知部をさらに備え、
前記制御部は、前記検知部が検出した前記振動の大きさが所定の範囲内であるか否かを判定し、前記検知部が検出した前記振動の大きさが所定の範囲内であると判定した場合、前記アクセス速度に基づいて、前記記憶部への前記書込動作が有効であるか否かを判定する、請求項１から請求項５のいずれか１項に記載の画像読取装置。
【請求項７】
前記原稿を搬送する原稿搬送部をさらに備え、
前記原稿搬送部は、前記原稿搬送部におけるジャムを検知するジャム検知部を有し、
前記制御部は、前記記憶部への前記書込動作が有効でないと判定した後に、前記ジャム検知部がジャムを検知したか否かを判定する、請求項１から請求項６のいずれか１項に記載の画像読取装置。
【請求項８】
原稿の画像を読み取り、画像データを取得することと、
前記画像データを記憶部の所定のデータ領域に書き込むことと、
前記記憶部の前記データ領域へのアクセス速度を取得することと、
取得した前記アクセス速度に基づいて、前記記憶部への書込動作が有効であるか否かを判定することと
をコンピューターに実行させる、画像読取プログラム。
【発明の詳細な説明】
【技術分野】
【０００１】
本発明は、画像読取装置および画像読取プログラムに関する。
【背景技術】
【０００２】
画像読取装置には、記憶部が搭載されることがある（例えば、特許文献１）。記憶部は、例えば、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）である。記憶部には、原稿の画像を読み取った画像データが記憶される。
【先行技術文献】
【特許文献】
【０００３】
【特許文献１】特開２０１８−９３３２８号公報
【発明の概要】
【発明が解決しようとする課題】
【０００４】
しかしながら、特許文献１に記載の画像読取装置では、記憶部のアクセス速度が低下した場合、誤ったデータが記憶部に書き込まれる可能性がある。
【０００５】
本発明は上記課題に鑑みてなされたものであり、その目的は誤ったデータが記憶部に書き込まれたことを精度良く判定することができる画像読取装置および画像読取プログラムを提供することにある。
【課題を解決するための手段】
【０００６】
本発明に係る画像読取装置は、画像読取部と、記憶部と、取得部と、制御部とを備える。前記画像読取部は、原稿の画像を読み取る。前記画像読取部は、画像データを取得する。前記記憶部には、前記画像データが所定のデータ領域に書き込まれる。前記取得部は、前記記憶部の前記データ領域へのアクセス速度を取得する。前記制御部は、前記アクセス速度に基づいて、前記記憶部への書込動作が有効であるか否かを判定する。
【０００７】
本発明に係る画像読取プログラムは、原稿の画像を読み取り、画像データを取得することと、前記画像データを記憶部の所定のデータ領域に書き込むことと、前記記憶部の前記データ領域へのアクセス速度を取得することと、取得した前記アクセス速度に基づいて、前記記憶部への書込動作が有効であるか否かを判定することとをコンピューターに実行させる。
【発明の効果】
【０００８】
本発明に係る画像読取装置によれば、誤ったデータが記憶部に書き込まれたことを精度良く判定することができる。
【図面の簡単な説明】
【０００９】
【図１】本発明の実施形態１に係る画像形成装置を示す模式図である。
【図２】本発明の実施形態１に係る画像形成装置を示すブロック図である。
【図３】本発明の実施形態１に係る画像読取装置の画像読取方法を示すフローチャートである。
【図４】操作パネルを示す図である。
【図５】本発明の実施形態２に係る画像形成装置を示すブロック図である。
【図６】本発明の実施形態２に係る画像読取装置の画像読取方法を示すフローチャートである。
【発明を実施するための形態】
【００１０】
以下、本発明の実施形態について、図面を参照しながら説明する。なお、図中、同一または相当部分については同一の参照符号を付して説明を繰り返さない。
【００１１】
［実施形態１］
図１を参照して本発明の実施形態１に係る画像読取装置１００を備える画像形成装置３００について説明する。図１は、本発明の実施形態１に係る画像形成装置３００を示す模式図である。画像形成装置３００は、例えば、複写機、プリンター、または複合機である。以下では、一例として、画像形成装置３００がプリンター機能と複写機能とファクシミリ機能とを有するモノクロ複合機である場合について説明する。
【００１２】
図１に示すように、画像形成装置３００は、画像読取装置１００と、画像形成ユニット２００とを備える。画像読取装置１００は、画像読取部１０と、制御部３０と、記憶部４０と、通信部５０と、原稿台１２と、原稿搬送部１１０と、操作パネル１２０とを有する。画像形成ユニット２００は、画像形成部２２０と、給紙カセット２３０と、用紙搬送部２４０と、用紙排出部２７０とを有する。
【００１３】
画像読取部１０は、原稿Ｍに形成された画像を読み取り、画像データを取得する。詳しくは、画像読取部１０は、原稿搬送部１１０によって搬送された原稿Ｍに形成された画像、または、原稿台１２に載置された原稿Ｍに形成された画像を読み取り、画像データを取得する。
【００１４】
画像形成部２２０は、画像読取部１０によって読み取られた画像データに基づいて記録媒体Ｐに画像を形成する。
【００１５】
制御部３０は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部３０は、記憶部４０に記憶された制御プログラムをプロセッサーが読み出して実行することによって、画像形成装置３００の各部の動作を制御する。
【００１６】
記憶部４０は、例えば、ＨＤＤまたはＳＳＤである。記憶部４０は、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）を含んでもよい。記憶部４０は、各種のデータ、および、画像形成装置３００の各部の動作を制御するための制御プログラムを記憶する。制御プログラムは、画像の読み取りを制御する画像読取プログラムであってもよい。制御プログラムは、制御部３０によって実行される。また、記憶部４０には、画像読取部１０によって読み取られた画像データが所定のデータ領域に書き込まれる。
【００１７】
通信部５０は、同じ通信方式（プロトコル）を利用する通信機が搭載された電子機器との間で通信が可能である。本実施形態において、通信部５０は、ＬＡＮ（Ｌｏｃａｌ  Ａｒｅａ  Ｎｅｔｗｏｒｋ）などのネットワーク網を介して外部装置と通信する。通信部５０は、例えば、ＬＡＮボードのような通信モジュール（通信機器）である。
【００１８】
操作パネル１２０は、ユーザーに画像形成装置３００を操作させるために用いられる。操作パネル１２０は、表示部１２２を有する。表示部１２２には、ユーザーに画像形成装置３００を操作させるための入力画面が表示される。また、表示部１２２は、通知画像を表示する。また、表示部１２２は、制御部３０が書込動作が有効でないと判定した場合、通知画像を表示する。通知画像については、図４を参照して後述する。
【００１９】
給紙カセット２３０には、印刷用の記録媒体Ｐが収容されている。印刷を行う際、給紙カセット２３０内の記録媒体Ｐは、画像形成部２２０を経由して用紙排出部２７０から排出されるように、用紙搬送部２４０によって搬送される。
【００２０】
図１および図２を参照して、画像形成装置３００についてさらに説明する。図２は、本発明の実施形態１に係る画像形成装置３００を示すブロック図である。
【００２１】
図２に示すように、画像読取装置１００は、画像読取部１０と、制御部３０と、記憶部４０と、通信部５０と、原稿搬送部１１０と、操作パネル１２０とに加えて、取得部４５と検知部６０とをさらに有する。
【００２２】
取得部４５は、記憶部４０のデータ領域へのアクセス速度を取得する。アクセス速度とは、例えば、記憶部４０の所定のデータ領域に書き込まれる速度を示す。
【００２３】
一般的に、アクセス速度が低下した場合、記憶部に所望の画像データが書き込まれない可能性がある。したがって、制御部３０は、アクセス速度に基づいて、記憶部４０への書込動作が有効であるか否かを判定する。例えば、制御部３０は、アクセス速度と仕様速度との差分が所定の範囲内であるか否かに基づいて、記憶部４０への書込動作が有効であるか否かを判定する。仕様速度は、記憶部４０の仕様で規定されるデータの書込速度である。例えば、制御部３０は、アクセス速度と仕様速度との差分が仕様速度の３０％以内であるか否かに基づいて、記憶部４０への書込動作が有効であるか否かを判定する。詳しくは、制御部３０は、アクセス速度と仕様速度との差分が仕様速度の３０％以内である場合、書込動作が有効であると判定する。一方、制御部３０は、アクセス速度と仕様速度との差分が仕様速度の３０％を超える場合、書込動作が有効でないと判定する。すなわち、制御部３０は、アクセス速度と仕様速度との差分が仕様速度の３０％を超える場合、書込動作が無効であると判定する。なお、制御部３０は、仕様速度とは関係なく、アクセス速度が所定の閾値以下であるか否かに基づいて、記憶部４０への書込動作が有効であるか否かを判定してもよい。
【００２４】
制御部３０が書込動作が有効でないと判定した場合、制御部３０は、画像読取部１０の画像の読み取りを停止するように、画像読取部１０を制御する。引き続き画像読取部１０が画像の読み取りを実行したとしても、誤ったデータが記憶部４０に書き込まれる可能性があるためである。
【００２５】
検知部６０は、振動を検知する。詳しくは、検知部６０は、振動の大きさを検知する。検知部６０は、例えば、加速度センサーである。例えば、検知部６０は、画像読取装置１００の振動の大きさを検知する。なお、検知部６０は、記憶部４０の近傍の振動の大きさを検知することが好ましい。
【００２６】
一般的に、振動の大きさが大きい場合、記憶部に所望の画像データが書き込まれない可能性がある。したがって、制御部３０は、検知部６０が検知した振動の大きさが所定の範囲内であるか否かを判定する。制御部３０は、検知部６０が検出した振動の大きさが所定の範囲内であると判定した場合、さらに、アクセス速度に基づいて、記憶部４０への書込動作が有効であるか否かを判定する。一方、検知部６０が検出した振動の大きさが所定の範囲を超える場合、画像読取部１０の画像の読み取りを停止するように、画像読取部１０を制御する。引き続き画像読取部１０が画像の読み取りを実行したとしても、誤ったデータが記憶部４０に書き込まれる可能性があるためである。
【００２７】
原稿搬送部１１０は、原稿Ｍを搬送する。原稿搬送部１１０は、ジャム検知部１１２を有する。ジャム検知部１１２は、原稿搬送部１１０におけるジャムを検知する。ジャム検知部１１２は、例えば、所定の位置に原稿Ｍが存在するか否かを検知するセンサーである。制御部３０は、記憶部４０への書込動作が有効でないと判定した後に、ジャム検知部１１２がジャムを検知したか否かを判定する。
【００２８】
図１〜図４を参照して、本発明に係る画像読取装置１００の画像読取方法について説明する。図３は、本発明の実施形態１に係る画像読取装置１００の画像読取方法を示すフローチャートである。図４は、操作パネル１２０を示す図である。図３に示すステップＳ１０２〜ステップＳ１２０の処理が実行されることによって、原稿Ｍの画像の読み取りが行われる。なお、図３に示すフローチャートは、原稿搬送部１１０を用いて、複数の原稿Ｍに形成された画像を読み取る場合の画像読取方法を示す。
【００２９】
ステップＳ１０２：検知部６０が振動を検知する。処理は、ステップＳ１０４に進む。
【００３０】
ステップＳ１０４：制御部３０は、検知部６０が検知した振動の大きさが所定の範囲内であるか否かを判定する。振動の大きさが所定の範囲内でないと制御部３０が判定した場合（ステップＳ１０４：Ｎｏ）、処理は、ステップＳ１０６に進む。振動の大きさが所定の範囲内であると制御部３０が判定した場合（ステップＳ１０４：Ｙｅｓ）、処理は、ステップＳ１０８に進む。
【００３１】
ステップＳ１０６：制御部３０は、画像読取部１０の読取動作を一時停止する。振動が大きい場合、誤ったデータが記憶部４０に書き込まれる可能性があるためである。処理は、終了する。
【００３２】
ステップＳ１０８：制御部３０は、アクセス速度が所定の範囲内であるか否かを判定する。アクセス速度が所定の範囲内でないと制御部３０が判定した場合（ステップＳ１０８：Ｎｏ）、処理は、ステップＳ１１２に進む。アクセス速度が所定の範囲内であると制御部３０が判定した場合（ステップＳ１０８：Ｙｅｓ）、処理は、ステップＳ１１０に進む。
【００３３】
ステップＳ１１０：制御部３０は、ジャムが発生したか否かを判定する。詳しくは、制御部３０は、ジャム検知部１１２がジャムを検知したか否かを判定する。ジャムが発生していないと制御部３０が判定した場合（ステップＳ１１０：Ｎｏ）、処理は、ステップＳ１２０に進む。ジャムが発生したと制御部３０が判定した場合（ステップＳ１１０：Ｙｅｓ）、処理は、ステップＳ１１２に進む。
【００３４】
ステップＳ１１２：制御部３０は、画像読取部１０の読取動作を一時停止する。アクセス速度が所定の範囲内で無い場合（ステップＳ１０８：Ｎｏ）、記憶部４０への書込動作が正常に行われない可能性があるためである。処理は、ステップＳ１１４に進む。
【００３５】
ステップＳ１１４：制御部３０は、原稿再度セットを促す画像を表示部１２２に表示させる。例えば、図４に示すように、制御部３０は、通知画像Ｇ１を表示部１２２に表示させる。処理は、ステップＳ１１６に進む。
【００３６】
通知画像Ｇ１は、書込動作が有効でないことを示す画像である。通知画像Ｇ１は、例えば、「読取動作が正常に行われていない可能性があります。原稿を再度セットしてください。」の通知文を示す画像である。
【００３７】
通知画像Ｇ１は、再開ボタン２２２と中止ボタン２２４とを含む。再開ボタン２２２は、一時停止した読取動作を再開するためのボタンである。中止ボタン２２４は、読取動作を中止するためのボタンである。ユーザーは通知画像Ｇ１を確認することによって、書込動作が有効でないことを確認することができる。そして、ユーザーは、原稿Ｍを再度セットし、再開ボタン２２２を選択することによって、読取動作を再開させることができる。
【００３８】
ステップＳ１１６：再開ボタン２２２が選択されると、制御部３０は読取動作を再開するように、画像読取部１０を制御する。処理は、ステップＳ１１８に進む。
【００３９】
ステップＳ１１８：制御部３０は、検知部６０が振動を検知したか否かを判定する。検知部６０が振動を検知したと制御部３０が判定した場合（ステップＳ１１８：Ｙｅｓ）、処理は、ステップＳ１０４に戻る。検知部６０が振動を検知していないと制御部３０が判定した場合（ステップＳ１１８：Ｎｏ）、処理は、終了する。
【００４０】
ステップＳ１２０：制御部３０は通常処理を実行する。処理は、終了する。
【００４１】
以上、図１〜図４を参照して説明したように、制御部３０は、アクセス速度に基づいて、記憶部４０への書込動作が有効であるか否かを判定する。したがって、誤ったデータが記憶部４０に書き込まれたことを精度良く判定することができる。
【００４２】
また、制御部３０が書込動作が有効でないと判定した場合、制御部３０は、画像読取部１０の画像の読み取りを停止するように、画像読取部１０を制御する。したがって、不必要に原稿Ｍの画像の読み取り動作が行われることを抑制することができる。
【００４３】
また、制御部３０が書込動作が有効でないと判定した場合、表示部１２２は通知画像Ｇ１を表示する。通知画像Ｇ１は、書込動作が有効でないことを示す画像である。したがって、ユーザーは、通知画像Ｇ１を確認することによって、記憶部４０への書込動作が有効でないことを確認することができる。
【００４４】
また、制御部３０は、アクセス速度と、記憶部４０の仕様で規定される仕様速度との差分が所定の範囲内であるか否かに基づいて、記憶部４０への書込動作が有効であるか否かを判定する。したがって、アクセス速度が仕様速度と大きく異なった場合に、制御部３０は記憶部４０への書込動作が有効でないと判定することができる。
【００４５】
［実施形態２］
図５を参照して本発明の実施形態２に係る画像読取装置１００を備える画像形成装置３００について説明する。図５は、本発明の実施形態２に係る画像形成装置３００を示すブロック図である。画像読取装置１００が計時部７０をさらに有する点を除いて、実施形態１に係る画像形成装置３００と同様な構成を有するため、重複部分については説明を省略する。
【００４６】
図５に示すように、画像読取装置１００は、画像読取部１０と、制御部３０と、記憶部４０と、取得部４５と、通信部５０と、検知部６０と、原稿搬送部１１０と、操作パネル１２０とに加えて、計時部７０をさらに有する。
【００４７】
計時部７０は、経過時間を計測する。経過時間は、制御部３０が書込動作が有効でないと判定し、画像読取部１０の画像の読み取りを停止した時点から経過した時間を示す。計時部７０は、例えば、タイマー回路である。
【００４８】
制御部３０は、経過時間が閾値を超えたか否かを判定する。制御部３０は、経過時間が閾値を超えたと判定した場合、画像読取部１０の画像の読み取りを再開するように制御する。したがって、自動的に画像読取部１０の画像の読み取りを再開することができる。
【００４９】
図５および図６を参照して、本発明に係る画像読取装置１００の画像読取方法について説明する。図６は、本発明の実施形態２に係る画像読取装置１００の画像読取方法を示すフローチャートである。図６に示すステップＳ２０２〜ステップＳ２２０の処理が実行されることによって、原稿Ｍの画像の読み取りが行われる。
【００５０】
ステップＳ２０２：検知部６０が振動を検知する。処理は、ステップＳ２０４に進む。
【００５１】
ステップＳ２０４：制御部３０は、検知部６０が検知した振動の大きさが所定の範囲内であるか否かを判定する。振動の大きさが所定の範囲内でないと制御部３０が判定した場合（ステップＳ２０４：Ｎｏ）、処理は、ステップＳ２０６に進む。振動の大きさが所定の範囲内であると制御部３０が判定した場合（ステップＳ２０４：Ｙｅｓ）、処理は、ステップＳ２０８に進む。
【００５２】
ステップＳ２０６：制御部３０は、画像読取部１０の読取動作を一時停止する。振動が大きい場合、誤ったデータが記憶部４０に書き込まれる可能性があるためである。処理は、終了する。
【００５３】
ステップＳ２０８：制御部３０は、アクセス速度が所定の範囲内であるか否かを判定する。アクセス速度が所定の範囲内であると制御部３０が判定した場合（ステップＳ２０８：Ｙｅｓ）、処理は、ステップＳ２２０に進む。アクセス速度が所定の範囲内でないと制御部３０が判定した場合（ステップＳ２０８：Ｎｏ）、処理は、ステップＳ２１０に進む。
【００５４】
ステップＳ２１０：制御部３０は、画像読取部１０の読取動作を一時停止する。処理は、ステップＳ２１２に進む。
【００５５】
ステップＳ２１２：制御部３０は、経過時間計測を開始するように、計時部７０を制御する。処理は、ステップＳ２１４に進む。
【００５６】
ステップＳ２１４：制御部３０は、経過時間が閾値を超えたか否かを判定する。経過時間が閾値を超えていないと制御部３０が判定した場合（ステップＳ２１４：Ｎｏ）、処理は、ステップＳ２１４を繰り返す。経過時間が閾値を超えたと制御部３０が判定した場合（ステップＳ２１４：Ｙｅｓ）、処理は、ステップＳ２１６に進む。
【００５７】
ステップＳ２１６：制御部３０は、画像読取部１０の画像の読み取りを再開するように制御する。処理は、ステップＳ２１８に進む。
【００５８】
ステップＳ２１８：制御部３０は、検知部６０が振動を検知したか否かを判定する。検知部６０が振動を検知したと制御部３０が判定した場合（ステップＳ２１８：Ｙｅｓ）、処理は、ステップＳ２０４に戻る。検知部６０が振動を検知していないと制御部３０が判定した場合（ステップＳ２１８：Ｎｏ）、処理は、終了する。
【００５９】
ステップＳ２２０：制御部３０は通常処理を実行する。処理は、終了する。
【００６０】
図５および図６を参照して説明したように、制御部３０は、経過時間が閾値を超えたか否かを判定し、経過時間が閾値を超えたと判定した場合、画像読取部１０の画像の読み取りを再開するように制御する。したがって、自動的に画像読取部１０の画像の読み取りを再開することができる。
【００６１】
以上、図面（図１〜図６）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６２】
（１）実施形態１および実施形態２では、画像読取装置１００は、原稿搬送部１１０を用いて、複数の原稿Ｍに形成された画像を読み取る場合について説明したが、本発明はこれに限定されない。例えば、原稿台１２に載置された１枚の原稿Ｍを読み取る場合にも、本発明は適用可能である。この場合、制御部３０が記憶部４０への書込動作が有効でないと判定した場合、通知画像Ｇ１を表示部１２２に表示するように表示部１２２を制御してもよい。例えば、通知画像Ｇ１は、例えば、「読取動作が正常に行われていない可能性があります。原稿を再度セットしてください。」の通知文を示す画像である。
【００６３】
（２）実施形態１および実施形態２では、画像読取装置１００は、検知部６０を備えるが、本発明はこれに限定されない。例えば、画像読取装置１００は、検知部６０を備えてなくてもよい。この場合、制御部３０は、アクセス速度のみに基づいて、記憶部４０への書込動作が有効でないと判定してもよい。
【符号の説明】
【００６４】
１０      画像読取部
３０      制御部
４０      記憶部
４５      取得部
６０      検知部
７０      計時部
１００    画像読取装置
１１０    原稿搬送部
１１２    ジャム検知部
１２２    表示部
Ｇ１      通知画像
Ｍ        原稿
【図１】
2020136967.tif 000003
【図２】
2020136967.tif 000004
【図３】
2020136967.tif 000005
【図４】
2020136967.tif 000006
【図５】
2020136967.tif 000007
【図６】
2020136967.tif 000008